(57)【要約】【課題】カードリーダが破壊されたり故障した場合の復旧をセキュリティ性を損なうことなく容易かつ迅速に行なえる。【解決手段】カード情報を送信する機能を有するＩＣカードキー２と、カード情報を受信する機能を有するカードリーダ３と、施錠及び解錠を行なうカード式電子錠４と、カードリーダ３からのカード情報に基づきカード式電子錠４を制御する制御装置５とを有し、制御装置５は、予め復旧カードリーダの認証登録した復旧メモリ５ａを有し、制御装置５は、カードリーダ３に代えて予め認証登録した復旧カードリーダ６を接続して交換すると、復旧メモリ５ａの認証登録に基づいて復旧カードリーダ６を認証してカード式電子錠４の制御を復旧させる。【選択図】図１
2005282093.tif 000002
【特許請求の範囲】
【請求項１】
カード情報を送信する機能を有するＩＣカードキーと、
カード情報を受信する機能を有するカードリーダと、
施錠及び解錠を行なうカード式電子錠と、
前記カードリーダからの前記カード情報に基づき前記カード式電子錠を制御する制御装置とを有し、
前記制御装置は、予め復旧カードリーダの認証登録した復旧メモリを有し、
前記制御装置は、前記カードリーダに代えて予め認証登録した前記復旧カードリーダを接続して交換すると、前記復旧メモリの認証登録に基づいて前記復旧カードリーダを認証して前記カード式電子錠の制御を復旧させることを特徴とするＩＣカードキー式電子錠システム。
【請求項２】
カード情報を送信する機能を有するＩＣカードキーと、
カード情報を受信する機能を有するカードリーダと、
施錠及び解錠を行なうカード式電子錠と、
前記カードリーダを接続するコネクタとは別の復旧コネクタと、
前記カードリーダからの前記カード情報に基づき前記カード式電子錠を制御する制御装置とを有し、
前記制御装置は、予め復旧カードリーダの認証登録した復旧メモリを有し、
前記制御装置は、前記カードリーダに代えて予め認証登録した前記復旧カードリーダを前記復旧コネクタに接続して交換すると、前記復旧メモリの認証登録に基づいて前記復旧カードリーダを認証して前記カード式電子錠の制御を復旧させることを特徴とするＩＣカードキー式電子錠システム。
【請求項３】
前記復旧カードリーダは、携帯可能であることを特徴とする請求項１または請求項２に記載のＩＣカードキー式電子錠システム。
【請求項４】
前記復旧カードリーダは、前記制御装置と有線または無線により通信可能であることを特徴とする請求項１乃至請求項３のいずれか１項に記載のＩＣカードキー式電子錠システム。
【発明の詳細な説明】
【技術分野】
【０００１】
この発明は、ＩＣチップを埋め込んだＩＣカードをカードリーダにかざすことで例えば扉の電子錠などの施解錠を行なうＩＣカードキー式電子錠システムに関し、特にカードリーダが破壊されたり故障した場合の復旧をセキュリティ性を損なうことなく容易かつ迅速に行なえるＩＣカードキー式電子錠システムに関するものである。
【背景技術】
【０００２】
ＩＣチップを埋め込んだＩＣカードをカードリーダにかざしたり、差し込むことにより、扉の電気錠などの施解錠を行なうＩＣカードキー式電子錠システムは存在するが（例えば特許文献１及び特許文献２）、カードリーダ自体が破壊された場合、扉の開閉などができなくなるため、その機能を一部停止せざるを得ない。
【０００３】
また、カードリーダを壊された後に、カードリーダが制御していた扉から、その中に入るには、扉の復旧とキーシステムの復旧が非常に困難で、かつ時間がかかった。
【特許文献１】特許第２９２７０８５号公報
【特許文献２】特許第２７８５８９１号公報
【発明の開示】
【発明が解決しようとする課題】
【０００４】
このように、ＩＣカードキー式電子錠システムでは、カードリーダが破損されたり故障した場合には、そのシステムが堅固であるがため、解除復旧させるためには他の部分を損壊させたうえで内部の装置を処理しなければならず、カードキーシステムの普及につれて必要になるコストや手間、時間、またセキュリティホールをカバーするためのコストや手間、時間などが大きな問題点となっている。  また、インターネットを通じて管理場所から解錠するものもあるが、セキュリティ性の点から普及はしていない。
【０００５】
この発明は、かかる点に鑑みてなされたもので、カードリーダが破壊されたり故障した場合の復旧をセキュリティ性を損なうことなく容易かつ迅速に行なえるＩＣカードキー式電子錠システムを提供することを目的としている。
【課題を解決するための手段】
【０００６】
前記課題を解決し、かつ目的を達成するために、この発明は、以下のように構成した。
【０００７】
請求項１に記載の発明は、カード情報を送信する機能を有するＩＣカードキーと、
カード情報を受信する機能を有するカードリーダと、
施錠及び解錠を行なうカード式電子錠と、
前記カードリーダからの前記カード情報に基づき前記カード式電子錠を制御する制御装置とを有し、
前記制御装置は、予め復旧カードリーダの認証登録した復旧メモリを有し、
前記制御装置は、前記カードリーダに代えて予め認証登録した前記復旧カードリーダを接続して交換すると、前記復旧メモリの認証登録に基づいて前記復旧カードリーダを認証して前記カード式電子錠の制御を復旧させることを特徴とするＩＣカードキー式電子錠システムである。
【０００８】
請求項２に記載の発明は、カード情報を送信する機能を有するＩＣカードキーと、
カード情報を受信する機能を有するカードリーダと、
施錠及び解錠を行なうカード式電子錠と、
前記カードリーダを接続するコネクタとは別の復旧コネクタと、
前記カードリーダからの前記カード情報に基づき前記カード式電子錠を制御する制御装置とを有し、
前記制御装置は、予め復旧カードリーダの認証登録した復旧メモリを有し、
前記制御装置は、前記カードリーダに代えて予め認証登録した前記復旧カードリーダを前記復旧コネクタに接続して交換すると、前記復旧メモリの認証登録に基づいて前記復旧カードリーダを認証して前記カード式電子錠の制御を復旧させることを特徴とするＩＣカードキー式電子錠システムである。
【０００９】
請求項３に記載の発明は、前記復旧カードリーダが、携帯可能であることを特徴とする。
【００１０】
請求項４に記載の発明は、前記復旧カードリーダが、前記制御装置と有線または無線により通信可能であることを特徴とする。
【発明の効果】
【００１１】
前記構成により、この発明は、以下のような効果を有する。
【００１２】
請求項１に記載の発明では、カード情報を受信する機能を有するカードリーダを有し、このカードリーダが破壊されたり故障した場合には、カードリーダに代えて予め認証登録した復旧カードリーダを接続して交換すると、復旧メモリの認証登録に基づいて復旧カードリーダを認証してカード式電子錠の制御を復旧させ、カードリーダが破壊されたり故障した場合の復旧をセキュリティ性を損なうことなく容易かつ迅速に行なうことができる。
【００１３】
請求項２に記載の発明では、カードリーダを接続するコネクタとは別の復旧コネクタと、カード情報を受信する機能を有するカードリーダを有し、このカードリーダが破壊されたり故障した場合には、カードリーダに代えて予め認証登録した復旧カードリーダを復旧コネクタに接続して交換すると、復旧メモリの認証登録に基づいて復旧カードリーダを認証してカード式電子錠の制御を復旧させ、カードリーダが破壊されたり故障した場合の復旧をセキュリティ性を損なうことなく容易かつ迅速に行なうことができる。
【００１４】
請求項３に記載の発明では、復旧カードリーダが、携帯可能であり、破壊されたり故障したカードリーダと容易に交換することができる。
【００１５】
請求項４に記載の発明では、復旧カードリーダが、制御装置と有線または無線により通信可能であり、復旧を容易かつ迅速に行なうことができる。
【発明を実施するための最良の形態】
【００１６】
以下、この発明のＩＣカードキー式電子錠システムの実施の形態について説明するが、この発明は、この実施の形態に限定されない。また、この発明の実施の形態は、発明の最も好ましい形態を示すものであり、この発明の用語はこれに限定されない。
【００１７】
図１はＩＣカードキー式電子錠システムの概略構成図である。この実施の形態のＩＣカードキー式電子錠システム１は、ＩＣカードキー２、カードリーダ３、カード式電子錠４、制御装置５及び復旧カードリーダ６とを有する。
【００１８】
ＩＣカードキー２には、ＩＣチップ及びアンテナが内蔵され、カード情報を送信する機能を有する。ＩＣ情報は、個人認証情報であり、キー情報は施錠または解錠情報である。
【００１９】
カードリーダ３のコネクタ３ａは、コネクタ７によって制御装置５に接続され、ＩＣカードキー２からのカード情報を受信する機能を有する。カード式電子錠４は、マンションなど住居系施設の扉の施錠及び解錠を行なう。
【００２０】
制御装置５は、カードリーダ３からのカード情報に基づきカード式電子錠４を制御する。この制御装置５は、予め復旧カードリーダ６の認証登録した復旧メモリ５ａを有し、復旧カードリーダ６からの復旧情報に基づき復旧カードリーダ６を認証し、カード式電子錠４の制御を復旧させる。
【００２１】
復旧カードリーダ６は、携帯可能であり、この復旧カードリーダ６は制御装置５と有線または無線により通信可能である。
【００２２】
この実施の形態のＩＣカードキー式電子錠システム１では、カード式電子錠４が施錠状態で、カードリーダ３が破壊されたり故障した場合には、制御装置５と有線または無線による通信が不能になり、カード式電子錠４が作動せず扉が開かない。
【００２３】
このような場合には、カードリーダ３のコネクタ３ａをコネクタ７から外し、復旧カードリーダ６のコネクタ６ａを接続する。このカードリーダ３に代えて予め認証登録した復旧カードリーダ６を接続して交換すると、復旧メモリ５ａの認証登録に基づいて復旧カードリーダ６を認証してカード式電子錠４の制御を復旧させる。このように、カードリーダ３が破壊されたり故障した場合の復旧を、復旧カードリーダ６によってセキュリティ性を損なうことなく容易かつ迅速に行なうことができる。
【００２４】
この復旧カードリーダ６の接続によって、復旧カードリーダ６がＩＣカードキー２からカード情報を受信し、制御装置５は復旧カードリーダ６からのカード情報に基づきカード式電子錠４の解錠及び施錠の制御を行なう。
【００２５】
復旧カードリーダ６は携帯可能であり、破壊されたり故障したカードリーダ３と容易に交換することができる。また、復旧カードリーダ６は制御装置５と有線または無線により通信可能であり、復旧を容易かつ迅速に行なうことができる。  この実施の形態のＩＣカードキー式電子錠システム１は、カードリーダ３を壊された場合、復旧カードリーダ６を復旧時に一時的に利用することにより、壊されたカードリーダ３を撤去回収し、キーシステムの早期復旧を行なう。この実施の形態のＩＣカードキー式電子錠システム１は、カードリーダ３に制御装置５を持たせたキーシステムではなく、カードリーダ３と別置型の制御装置５をもつキーシステムを構築することで、常設のカードリーダ３と同様に、復旧カードリーダ６も予め、制御装置５との通信を可能にすることにより、キーシステムの復旧を可能にする。
【００２６】
このＩＣカードキー式電子錠システム１は、キーシステムにおける個人認証は、制御装置５と、カードリーダ３と、ＩＣカードキー２により実施する構造とし、カードリーダ３を破壊されても、個人認証の記録に影響が無い構造とする。復旧カードリーダ６は、アダプター等もしくは、無線により既存の配線等に接続してもよい。
【００２７】
このＩＣカードキー式電子錠システムをマンションなどに導入する場合、堅固なシステムであるがために、カードリーダ３など露出機器を壊された場合の速やかな復旧システムの構築が不可避であるが、このＩＣカードキー式電子錠システム１は、ＩＣカードキー２のもつ安全性を確保しながら、生活者のために速やかなキーシステムの復旧を行なえるものであり、マンションなど住居系施設への導入の障害を減らすことが可能である。
【００２８】
図２は他の実施の形態のＩＣカードキー式電子錠システムの概略構成図である。この実施の形態のＩＣカードキー式電子錠システム１は、図１の実施の形態と同じ構成は、同じ符号を付して説明を省略する。
【００２９】
この実施の形態のＩＣカードキー式電子錠システム１は、カードリーダ３を接続するコネクタ７とは別の復旧コネクタ１０を有する。この復旧コネクタ１０は、例えばインターホン１１内等に先行配線しておけば、カードリーダ３を接続するコネクタ７の配線が破損している時も復旧可能である。
【００３０】
図３はさらに他の実施の形態のＩＣカードキー式電子錠システムの概略構成図である。この実施の形態のＩＣカードキー式電子錠システム１は、図１の実施の形態と同じ構成は、同じ符号を付して説明を省略する。
【００３１】
この実施の形態のＩＣカードキー式電子錠システム１は、室内に制御装置５が配置され、壁面配線でコネクタ７が設けられている。このコネクタ７に接続されたカードリーダ３が破壊されると、カード式電子錠４の解錠が不可能になる。
【００３２】
この実施の形態のＩＣカードキー式電子錠システム１では、制御装置５が室内に配置され、この制御装置５の復旧メモリ５ａに予め復旧カードリーダ６の認証登録をしておくことで、カードリーダ３とは別の復旧カードリーダ６を接続しても復旧が可能である。
【００３３】
このように、外付けカードリーダ３が破損された場合、携帯用の小型の復旧カードリーダ６のコネクタ６ａを、破損されたカードリーダ３のコネクタ３ａが接続される配線のコネクタ７に接続することで、制御装置５は復旧メモリ５ａの認証登録に基づいて復旧カードリーダ６を認証してカード式電子錠４の制御を復旧させる。したがって、手持ちのＩＣカードキー２をかざすと、復旧カードリーダ６がカード情報を受信し、制御装置５の制御によりカード式電子錠４が正常に動作する。
【００３４】
また、コネクタ７は、インターホン内に配線することも可能であり、さらに携帯用の復旧カードリーダ６は小型ドライバとセットにすることも可能である。
【産業上の利用可能性】
【００３５】
このＩＣカードキー式電子錠システムは、ＩＣチップを埋め込んだＩＣカードをカードリーダにかざすことで例えば扉の電子錠などの施解錠を行ない、特にカードリーダが破壊されたり故障した場合の復旧をセキュリティ性を損なうことなく容易かつ迅速に行なえるシステム等に適用できる。
【図面の簡単な説明】
【００３６】
【図１】ＩＣカードキー式電子錠システムの概略構成図である。
【図２】他の実施の形態のＩＣカードキー式電子錠システムの概略構成図である。
【図３】さらに他の実施の形態のＩＣカードキー式電子錠システムの概略構成図である。
【符号の説明】
【００３７】
１  ＩＣカードキー式電子錠システム
２  ＩＣカードキー
３  カードリーダ
３ａ  カードリーダ３のコネクタ
４  カード式電子錠
５  制御装置
５ａ  復旧メモリ
６  復旧カードリーダ
６ａ  復旧カードリーダ６のコネクタ
７  コネクタ
【図１】
2005282093.tif 000003
【図２】
2005282093.tif 000004
【図３】
2005282093.tif 000005